(57)【要約】【課題】最後の間仕切パネルに、それと壁面との間に形成した通路用空間を開閉可能なドアを、簡単に、かつ体裁よく取付け、部屋の内外に人が容易に行き来し得るようにする。【解決手段】最後の間仕切パネル５と、壁面６との間に、通路用空間Ｓが形成されるようにし、最後の間仕切パネル５における壁面側の側端部に、通路用空間Ｓを閉塞し得る大きさのドアパネル１１における壁面側の側端部を、最後の間仕切パネル５の前面に重合する不使用位置から、通路用空間Ｓを閉塞する使用位置までの間を前後方向に回動可能として枢着する。【選択図】図５
2010150788.tif 000002
【特許請求の範囲】
【請求項１】
天井または架台に架設したガイドレールに沿って移動する複数の間仕切パネル同士を、互いの対向面を当接させて連接することにより、室内を仕切るようにした移動間仕切装置において、
最後の間仕切パネルと、壁面またはそれに取り付けた架台の縦フレームとの間に、通路用空間が形成されるようにし、前記最後の間仕切パネルにおける壁面側の側端部に、前記通路用空間を閉塞し得る大きさのドアパネルにおける壁面側の側端部を、前記最後の間仕切パネルの前面に重合する不使用位置から、前記通路用空間を閉塞する使用位置までの間を前後方向に回動可能として枢着したことを特徴とする移動間仕切装置。
【請求項２】
最後の間仕切パネルとドアパネルとをほぼ同外形としたことを特徴とする請求項１に記載の移動間仕切装置。
【請求項３】
最後の間仕切パネルとドアパネルとを、矩形をなす枠状フレームの枠内に、パネル材を嵌め込んで形成したものとし、不使用位置において、互いの枠状フレーム同士がほぼ整合して重合するようにしたことを特徴とする請求項２に記載の移動間仕切装置。
【請求項４】
最後の間仕切パネルとドアパネルとに、ドアパネルを不使用位置に保持する保持手段を設けたことを特徴とする請求項１ないし３のいずれかに記載の移動間仕切装置。
【請求項５】
ドアパネルにおける枢着部と反対側の側端部の前後両面に、ドアパネルを開閉操作する把手を、上下方向に連続するように設けたことを特徴とする請求項１ないし４のいずれかに記載の移動間仕切装置。
【請求項６】
最後の間仕切パネルにおける壁面側の側端部に、床面と天井または架台に設けた凹孔に挿脱可能に嵌合される上下１対の挿入ロッドと、各挿入ロッドを上下方向に操作可能な操作ピンとを設けたことを特徴とする請求項１ないし５のいずれかに記載の移動間仕切装置。
【発明の詳細な説明】
【技術分野】
【０００１】
本発明は、オフィスや宴会場、多目的ホール等の室内を仕切る移動間仕切装置に係わり、特に、人の出入り可能なドアを有する移動間仕切装置に関する。
【背景技術】
【０００２】
従来の移動間仕切装置としては、例えば、特許文献１ないし３に記載されているものがある。
【０００３】
【特許文献１】特開２００２−１５５６６５号公報
【特許文献２】特開２００２−３５７０５８号公報（第７図）
【特許文献３】特開平１１−６３５５号公報
【発明の開示】
【発明が解決しようとする課題】
【０００４】
前記特許文献１及び２に記載されている移動間仕切装置においては、最後の間仕切パネルと壁面との間に形成された空間を、間仕切パネルの幅寸法より小さな塞ぎパネルにより閉塞したのみであり、人が出入り可能なドアが設けられていないので、宴会場を仕切った後、人が部屋の内外に行き来することができないという問題がある。
【０００５】
特許文献３に記載の移動間仕切装置においては、間仕切パネルにドアを設けてあるので、前記のような問題の生じることはない。しかし、間仕切パネルの一部を、ドアの大きさに対応する大きさに開口する必要があるので、間仕切パネルの製造コストが増大するとともに、他の間仕切パネルと共通化できないという問題がある。
【０００６】
本発明は、前記問題点を解決するためになされたもので、最後の間仕切パネルに、それと壁面との間に形成した通路用空間を開閉可能なドアを、簡単に、かつ体裁よく取付け、部屋の内外に人が容易に行き来し得るようにした移動間仕切装置を提供することを目的としている。
【課題を解決するための手段】
【０００７】
前記課題を解決するために、本発明の請求項１に記載の移動間仕切装置は、
天井または架台に架設したガイドレールに沿って移動する複数の間仕切パネル同士を、互いの対向面を当接させて連接することにより、室内を仕切るようにした移動間仕切装置において、
最後の間仕切パネルと、壁面またはそれに取り付けた架台の縦フレームとの間に、通路用空間が形成されるようにし、前記最後の間仕切パネルにおける壁面側の側端部に、前記通路用空間を閉塞し得る大きさのドアパネルにおける壁面側の側端部を、前記最後の間仕切パネルの前面に重合する不使用位置から、前記通路用空間を閉塞する使用位置までの間を前後方向に回動可能として枢着したことを特徴としている。
この特徴によれば、最後の間仕切パネルに、それと、壁面またはそれに取り付けた架台の縦フレームとの間に形成された通路空間を開閉するドアパネルを、最後の間仕切パネルに大幅な加工を施すことなく、簡単な施工で体裁よく取り付けることができるとともに、ドアパネルを開閉して、部屋の内外に人が容易に行き来することができる。
【０００８】
本発明の請求項２に記載の移動間仕切装置は、請求項１に記載の移動間仕切装置であって、
最後の間仕切パネルとドアパネルとをほぼ同外形としたことを特徴としている。
この特徴によれば、最後の間仕切パネルとドアパネルとをほぼ同外形としているので、違和感がなく、かつドアパネルが通常の間仕切パネルと見分けがつきにくくなるので、不使用位置での見栄えが向上する。
【０００９】
本発明の請求項３に記載の移動間仕切装置は、請求項２に記載の移動間仕切装置であって、
最後の間仕切パネルとドアパネルとを、矩形をなす枠状フレームの枠内に、パネル材を嵌め込んで形成したものとし、不使用位置において、互いの枠状フレーム同士がほぼ整合して重合するようにしたことを特徴としている。
この特徴によれば、最後の間仕切パネルとドアパネルが、共に枠状フレームの枠内にパネル材を嵌め込んで形成されているので、強度を保ちつつ軽量感を呈するようになる。また、枠状フレーム同士がほぼ整合して重合するので、最後の間仕切パネルとドアパネルとが一体感を呈し、体裁がよくなるとともに、パネル材同士が接触して損傷する恐れもない。
【００１０】
本発明の請求項４に記載の移動間仕切装置は、請求項１ないし３のいずれかに記載の移動間仕切装置であって、
最後の間仕切パネルとドアパネルとに、ドアパネルを不使用位置に保持する保持手段を設けたことを特徴としている。
この特徴によれば、不使用位置にあるドアパネルが、地震等において妄りに使用位置側に回動しなくなるので、安全である。
【００１１】
本発明の請求項５に記載の移動間仕切装置は、請求項１ないし４のいずれかに記載の移動間仕切装置であって、
ドアパネルにおける枢着部と反対側の側端部の前後両面に、ドアパネルを開閉操作する把手を、上下方向に連続するように設けたことを特徴としている。
この特徴によれば、前後の把手を把持して、不使用位置にあるドアパネルを使用位置に、また使用位置にあるドアパネルを不使用位置に、それぞれ容易に回動操作することができる。また、前後の把手は、上下方向に連続しているので、手の把持位置が限定されず、上下方向のどの位置を把持しても、ドアパネルを開閉操作することができる。
【００１２】
本発明の請求項６に記載の移動間仕切装置は、請求項１ないし５のいずれかに記載の移動間仕切装置であって、
最後の間仕切パネルにおける壁面側の側端部に、床面と天井または架台に設けた凹孔に挿脱可能に嵌合される上下１対の挿入ロッドと、各挿入ロッドを上下方向に操作可能な操作ピンとを設けたことを特徴としている。
この特徴によれば、下部の挿入ロッドを床面の凹孔に、かつ上部の挿入ロッドを天井または架台の凹孔に、それぞれ挿入することにより、最後の間仕切パネルの上下両端部が固定され、左右方向に移動するのが阻止される。従って、最後の間仕切パネルと壁面との間の通路用空間の間隔が一定に保たれるとともに、最後の間仕切パネルに装着したドアパネルを、ぐらつきを防止して安定的に開閉することができる。
【発明を実施するための最良の形態】
【００１３】
本発明に係る移動間仕切装置を実施するための最良の形態を実施例に基づいて以下に説明する。
【実施例】
【００１４】
以下、本発明の一実施形態を、図面に基づいて説明する。図１は、本発明の移動間仕切装置の正面図、図２は、同じく最後の間仕切パネル部の拡大正面図、図３は、図２の一部切欠き右側面図で、移動間仕切装置は、上部が部屋の天井１に架設されたガイドレール２に左右方向に移動可能に案内され、かつ下部が床面３上を走行するキャスタ４により支持された複数の間仕切パネルＰを、互いの対向面同士を当接させて連接することにより、部屋を仕切るもので、最後の間仕切パネル５と部屋の壁面６との間には、人が出入り可能な通路用空間Ｓが形成されている。
【００１５】
各間仕切パネルＰは、左右の縦フレーム７、７と、それらの上下両端部の対向面同士を連結する上下の横フレーム８、８とからなる矩形の枠状フレーム９と、この枠状フレーム９の内周面の中央部に嵌め込まれた、その前後の厚さよりも小さな厚さのパネル材１０とにより形成されている。
【００１６】
最後の間仕切パネル５の前面には、前記通路用空間Ｓを開閉可能な、その開口幅とほぼ等しい幅のドアパネル１１が取り付けられている。ドアパネル１１は、上下寸法が間仕切パネル５の縦フレーム７の上下寸法とほぼ等しく、かつ左右幅が縦フレーム７のそれよりも若干小さなアルミニウム合金等の左右の縦フレーム１２、１２と、それらの上下の対向面同士を連結する、間仕切パネル５の横フレーム８の上下幅よりも若干小さなアルミニウム合金等の上下の横フレーム１３、１３とからなる枠状フレーム１４と、この枠状フレーム１４の内周面の中央部に嵌め込まれた、その前後の厚さよりも小さな厚さのパネル材１５とにより形成されている。
【００１７】
最後の間仕切パネル５の枠状フレーム９とドアパネル１１の枠状フレーム１４の上下左右寸法は、概ね等しくされ、間仕切パネル５とドアパネル１１とをほぼ同外形とすることにより、最後の間仕切パネル５の前面に、ドアパネル１１がほぼ整合して重合し得るようにしてある。
【００１８】
図２ないし図４に示すように、ドアパネル１１における壁面側の縦フレーム１２の外側面を、最後の間仕切パネル５の壁面側の縦フレーム７における前部側の外側面に、上下複数(本実施形態では３個)の蝶番１６をもって枢着することにより、ドアパネル１１は、その枠状フレーム１４が最後の間仕切パネル５の枠状フレーム９の前面に当接して重合する不使用位置から、通路用空間Ｓを閉塞する使用位置までの間を、前後方向に回動することができる。
【００１９】
図１ないし図３に示すように、最後の間仕切パネル５における上下の横フレーム８の左側端部の前面には、ドアパネル１１における上下の横フレーム１３の後面に取り付けた鉄片１７を吸着することにより、ドアパネル１１を不使用位置に保持するマグネットキャッチ１８が取り付けられている。なお、前記鉄片１７とマグネットキャッチ１８とにより、保持手段を構成している。
【００２０】
また、図２及び図５に示すように、通路用空間Ｓの床面２における壁面６と近接する位置には、ドアパネル１１の下部の横フレーム１３における左側端部の前面に取り付けられた下向きのロッド１９を係脱可能に保持することにより、ドアパネル１１を使用位置に保持する公知のドアキャッチャー２０が取り付けられている。さらに、壁面６の上端部には、ドアパネル１１を使用位置に停止させるドアストッパ２１が取り付けられている。
【００２１】
図４及び図５に示すように、ドアパネル１１における枢着部と反対側の縦フレーム１２、すなわち、不使用位置において左側に位置する一方の縦フレーム１２の前後両面には、把手２２ａ、２２ｂが、上下方向に連続するように全長に亘って一体的に連設されている。前面側の把手２２ａは、ドアパネル１１をマグネットキャッチ１８より引き離して、使用位置に回動させるときに、後面側の把手２２ｂは、使用位置にあるドアパネル１１を不使用位置に回動させるときに、それぞれ使用される。
【００２２】
また、前面側の把手２２ａは、使用位置にあるドアパネル１１を、後面側から前方に開閉するときにも使用することができる。把手２１ａ、２１ｂが上下方向に連続していると、手の把持位置が限定されず、上下方向のどの位置を把持しても、ドアパネル１１を開閉操作することができる。
【００２３】
図６に示すように、最後の間仕切パネル５における壁面側の縦フレーム７の下端部内には、床面に設けた凹孔２３に挿脱可能に上方より嵌合される挿入ロッド２４と、縦フレーム７の側端面の上下方向を向く長孔２５より突出し、内部が挿入ロッド２４に連係された操作ピン２６とが設けられている。
【００２４】
また、図７に示すように、最後の間仕切パネル５における壁面側の縦フレーム７の上端部内には、天井に取り付けた固定具２７の凹孔２８に挿脱可能に下方より嵌合される挿入ロッド２９と、縦フレーム７の側端面の上下方向を向く長孔３０より突出し、内部が挿入ロッド２９に連係された操作ピン３１とが設けられている。長孔３０の上端部には、上方に移動した操作ピン３１が下方に移動するのを防止する後向きの係止溝３２が、長孔３０と連続して設けられている。
【００２５】
前記下部の挿入ロッド２４を床面の凹孔２３に、かつ上部の挿入ロッド２９を天井の固定具２７の凹孔２８に、それぞれ挿入することにより、最後の間仕切パネル５の上下両端部が固定され、左右方向に移動するのが阻止される。従って、この間仕切パネル５と壁面６との間の通路用空間Ｓの間隔が一定に保たれるとともに、間仕切パネル５に装着したドアパネル１１を、ぐらつきを防止して安定的に開閉することができる。
【００２６】
以上説明したように、前記実施形態の移動間仕切装置においては、最後の間仕切パネル５に、人が出入り可能な通路空間Ｓを開閉するドアパネル１１を、最後の間仕切パネル５に大幅な加工を施すことなく、簡単な施工で体裁よく取り付けることができる。
【００２７】
また、最後の間仕切パネル５とドアパネル１１とをほぼ同外形としているので、違和感がなく、かつドアパネル１１が通常の間仕切パネルと見分けがつきにくくなるので、不使用位置での見栄えが向上する。
【００２８】
なお、前記実施形態の移動間仕切装置は、各間仕切パネルＰが下端にキャスタ４を有するものとしているが、各間仕切パネルＰが天井１のガイドレール２に吊支された、天井吊支型の移動間仕切装置にも、本発明を適用することができる。
【００２９】
また、前記実施形態では、各間仕切パネルＰが、天井１に取り付けたガイドレール２に沿って移動するものとしたが、各間仕切パネルＰが、天井１よりも低い架台に取り付けたガイドレールに沿って移動する移動間仕切装置にも適用することができる。
【００３０】
さらに、壁面６に架台の縦フレームを取付け、この縦フレームと最後の間仕切パネル５との間に形成された通路用空間を、ドアパネル１１により開閉するようにしてもよい。
【図面の簡単な説明】
【００３１】
【図１】本発明の移動間仕切装置の正面図である。
【図２】同じく、最後の間仕切パネル部の拡大正面図である。
【図３】図２の一部切欠き右側面図である。
【図４】図２のIV−IV線の拡大横断平面図である。
【図５】同じく、ドアパネルを使用位置まで回動したときの拡大横断平面図である。
【図６】最後の間仕切パネルの側端下部の拡大斜視図である。
【図７】同じく、側端上部の拡大斜視図である。
【符号の説明】
【００３２】
１                天井
２                ガイドレール
５                最後の間仕切パネル
６                壁面
７                縦フレーム
８                横フレーム
９                枠状フレーム
１０              パネル材
１１              ドアパネル
１２              縦フレーム
１３              横フレーム
１４              枠状フレーム
１５              パネル材
２２ａ            把手
２２ｂ            把手
【図１】
2010150788.tif 000003
【図２】
2010150788.tif 000004
【図３】
2010150788.tif 000005
【図４】
2010150788.tif 000006
【図５】
2010150788.tif 000007
【図６】
2010150788.tif 000008
【図７】
2010150788.tif 000009